(57)【特許請求の範囲】
【請求項１】
符号化方法に従って符号化されたデータ信号を含む変調搬送波信号を受信する受信手段と、
受信された前記変調搬送波信号を復調すると共に該信号に含まれる前記符号化データ信号を出力する復調手段と、
前記符号化データ信号を復号してデータを出力する復号手段と、
前記復号手段により出力された前記データを処理するデータ処理手段と、
を含むようなデータ担体において、
前記復号手段は少なくとも第１復号段と第２復号段とを含み、前記第１復号段は第１符号化方法に従って符号化されたデータ信号を復号するように構成される一方、前記第２復号段は第２符号化方法に従って符号化されたデータ信号を復号するように構成されていることを特徴とするデータ担体。
【請求項２】
請求項１に記載のデータ担体において、前記復号手段は、受信された符号化データ信号を復号するのに前記復号段のうちの何れが適しているかを判定するように構成された判定段を有していることを特徴とするデータ担体。
【請求項３】
請求項２に記載のデータ担体において、前記判定段は前記少なくとも２つの復号段から判定支援情報を入力することができ、前記判定段は、該段に供給された前記判定支援情報の評価により、受信された符号化データ信号を復号するのに前記復号段の何れが適しているかを判定するように構成されていることを特徴とするデータ担体。
【請求項４】
請求項２に記載のデータ担体において、該データ担体は復号段指令情報を含む符号化データ信号を含むような変調搬送波信号を受信するように構成され、前記判定段は、該段に供給された前記復号段指令情報の評価により、前記復号段のうちの何れが次ぎに受信され得る符号化データ信号を復号するように構成されているかを判定するように構成されていることを特徴とするデータ担体。
【請求項５】
請求項１に記載のデータ担体において、前記復号手段は記憶段を含み、該記憶段には、受信された符号化データ信号を前記少なくとも２つの復号段の一方による復号の前に記憶することができるか、又は前記少なくとも２つの復号段の少なくとも一方により出力されたデータを、これら復号段による復号の後に記憶することができることを特徴とするデータ担体。
【請求項６】
請求項２に記載のデータ担体において、受信された符号化データ信号の復号に前記復号段のうちの何れが適しているかを前記判定段が判定することができる前に、前記第１復号段により出力されるデータを更なる処理のために前記データ処理手段に対して出力することができることを特徴とするデータ担体。
【請求項７】
請求項１に記載のデータ担体において、該データ担体は符号化データ信号を出力する符号化手段を含み、該符号化手段は少なくとも第１符号化段と第２符号化段とを含み、前記第１符号化段は第３方法に従ってデータを符号化するように構成される一方、前記第２符号化段は第４方法に従ってデータを符号化するように構成され、前記データ担体は前記符号化手段により出力される符号化データ信号を変調すると共に変調された搬送波信号を出力するように構成された変調手段を含み、前記データ担体は前記変調された搬送波信号を送信するように構成された送信手段を含んでいることを特徴とするデータ担体。
【発明の詳細な説明】
【０００１】
【技術分野】
本発明はデータ担体に係り、該データ担体が、符号化方法に従って符号化されたデータ信号を含む変調搬送波信号を受信する受信手段と、受信された上記変調搬送波信号を復調すると共に該信号に含まれる前記符号化データ信号を出力する復調手段と、該符号化データ信号を復号してデータを出力する復号手段と、該復号手段により出力された上記データを処理するデータ処理手段とを有しているようなデータ担体に関する。
【０００２】
【背景技術】
冒頭の段落で述べたような種類のデータ担体は、ヨーロッパ特許出願公開第EP 0 669 591 A2号から既知であり、所謂トランスポンダにより形成されている。
【０００３】
データ担体に送信されるべきデータは送信機局によりパルス幅符号化方法に従い符号化して符号化データ信号を形成することができ、搬送波信号は該符号化データ信号を用いて振幅変調により変調することができる。上記パルス幅符号化方法によれば、送信されるべきデータのデータビット“０”は少ない数の搬送波信号振動で符号化され、該送信されるべきデータのデータビット“１”は大きな数の搬送波信号振動で符号化されている。各データビットの搬送波信号振動は、当該符号化データ信号内の各ブランキング期間により互いに分離されている。
【０００４】
上記既知のデータ担体は、アンテナコイルにより形成された受信手段を含んでいる。前記送信機局により出力された変調搬送波信号は、該受信手段により受信することができる。
【０００５】
該データ担体は、受信された変調搬送波信号を振幅復調により復調すると共に、該変調搬送波信号に含まれる符号化データ信号を出力する復調手段も有している。
【０００６】
該符号化データ信号における２つのブランキング期間の間に存在する搬送波信号の振動を計数することにより、該既知のデータ担体の復号手段は、該符号化データ信号内にデータビット“０”が存在するか、又はデータビット“１”が存在するかを判定する。このようにして、該復号手段は上記符号化信号を復号する。該復号手段により判定されたデータビットは、受信されたデータとして当該データ担体の処理手段に出力され、該受信されたデータを更に処理する。該処理手段は制御ユニット、デジタル比較器及びメモリにより形成されている。
【０００７】
上記既知のデータ担体は、上記パルス幅符号化方法に従って符号化されている受信符号化データ信号しか専ら復号することができないという欠点を有していることが分かった。結果として、受信された符号化データ信号に含まれるデータであって、送信機局において異なる符号化方法に従って符号化されているデータは、該既知の記録担体の復号手段によっては復号することはできず、従って、斯様なデータは該データ担体により処理することはできない。
【０００８】
更に、該既知のデータ担体の復号手段は、受信された全ての符号化データ信号を上記パルス幅符号化方法に従って復号するように構成されているので、受信された符号化データ信号がパルス幅符号化方法以外の符号化方法により符号化されている場合は、誤ったデータを出力してしまうという特別な欠点が生じる。このような誤ったデータは、該既知のデータ担体の非常に誤った動作を引き起こしかねない。例えば、安全保護区域への扉が、斯かる区域に立ち入ることを許可されていない者に対して開きかねない。
【０００９】
【発明の開示】
本発明の１つの目的は、上述した問題を取り除き、冒頭の段落で述べた型式の改善されたデータ担体を提供することにある。本発明によれば、この目的は、冒頭の段落で述べたような型式のデータ担体において、前記復号手段が少なくとも第１復号段と第２復号段とを含み、第１復号段が第１符号化方法に従って符号化されたデータ信号を復号するように構成される一方、第２復号段が第２符号化方法に従って符号化されたデータ信号を復号するように構成されることにより達成される。
【００１０】
この構成は、上記データ担体が、受信された符号化データ信号に含まれると共に第１又は第２符号化方法に従って符号化されているようなデータを復号するように構成されるという利点を提供する。既知の符号化方法は、例えば、マンチェスタ符号化方法、パルス幅符号化方法、ミラー符号化方法、零復帰符号化方法、周波数シフトキーイング、即ちＦＳＫ符号化方法、又は位相シフトキーイング、即ちＰＳＫ符号化方法である。
【００１１】
この場合、データ担体が、例えば、異なる符号化方法が普通である又は規格化さえされているアクセス制御システム又は賃取りシステムのような種々の利用分野で使用するのに適したものとなるという特別な利点が達成される。この点に関しては、例えば既知の“近接規格（Approximity Standard）”（ISO 14443）を参照されたい。この規格によれば、ミラー符号化方法がＡ型のデータ担体との通信に使用される一方、Ｂ型のデータ担体との通信の場合は零復帰符号化方法が使用される。
【００１２】
請求項２に記載した構成が、請求項１に記載されたデータ担体において有利に採られることが分かった。この構成は、当該データ担体の判定段が、上記少なくとも２つの復号段により出力されるデータのうちの何れが、上記処理手段による更なる処理のために使用されるべきかを判定するという利点を提供する。かくして、送信機局により第１符号化方法に従って符号化されたデータ信号が、当該データ担体の上記復号段の一方において第２符号化方法に従って復号されてしまい、この復号段により出力される誤ったデータが上記処理手段において処理されてしまうということが防止される。
【００１３】
請求項３に記載される構成を請求項２に記載されるデータ担体装置で採ると有利であることが分かった。この構成は、上記判定段が、復号段により出力されるデータの何れが最も低いエラー率を示すかを、例えば上記復号段により出力されるデータのエラー率情報に基づいて判定することができるという利点を提供し、上記エラー率情報は、上記復号段において上記符号化データ信号に含まれる冗長情報から決定することができると共に判定支援情報を構成する。この場合、上記の最も低いエラー率を有するデータを出力する復号段が、受信された符号化データ信号を復号するのに適した復号段を構成する。
【００１４】
請求項４に記載の構成を請求項２に記載のデータ担体装置で採ると有利であることが分かった。この構成は、送信機局が上記データ担体に復号段指令情報を供給することができるという利点を提供する。該復号段指令情報は、上記変調搬送波信号に含まれると共に、上記復号段指令情報の後に上記送信機局により変調搬送波信号中で送信される符号化データ信号を復号するように構成された当該データ担体の復号段を特徴付けることができる。このように、当該データ担体と通信する送信機局は、該送信機局により送信される変調搬送波信号に含まれる符号化データ信号の復号に適した対応する復号段を常に指定することができる。
【００１５】
請求項５に記載された構成を請求項１に記載されたデータ担体装置で採ると有利であることが分かった。かくして、受信された符号化データ信号の復号に何れの復号段が適しているかについての判定を入力する前に当該データ担体により受信されたデータが失われることがないという利点が達成される。
【００１６】
請求項６に記載の構成は、請求項２に記載のデータ担体装置に有利に採られる。この場合、送信されるべきデータを符号化するのに何の符号化方法が使用されるか未知であるような送信機局との各通信動作の開始時に、上記判定段は、送信機局により好ましくは使用される符号化方法に従って受信符号化データ信号を復号するような上記第１復号段のデータを上記処理手段に供給する。記憶段を備えないデータ担体の場合は、この構成は、受信された符号化データ信号の復号に何の復号段が適しているかについての判定前に当該データ担体で受信された殆どのデータが失われることがないという利点を提供する。
【００１７】
請求項７に記載の構成は請求項１に記載のデータ担体装置で有利に採られることが分かった。この構成は、上記データ担体が、変調搬送波信号に含まれると共に、少なくとも２つの異なる符号化方法の一方に従って符号化されたデータを含むような符号化データ信号を送信するようにも構成されるという利点を提供する。
【００１８】
【発明を実施するための最良の形態】
以下、本発明を図面に示す２つの実施例に基づいて詳細に説明するが、本発明は、これら実施例に限定されるものではない。
【００１９】
図１はスマートカード１のブロック図を示し、該スマートカードは本発明によるデータ担体の第１実施例を構成すると共に基地局２との無接触データ交換をするように構成されている。基地局２はチケットマシンを構成し、該マシンはスマートカード１に残高データ（balance data）として記憶された残高に対して、当該スマートカード１のユーザが支払うべき９ユーロの額を請求（debit）するためのものである。この目的のため、基地局２はデータ処理手段３を有し、該手段には上記９ユーロの額を表す請求データＡＤ（debit data）が“１００１”なるビット系列として記憶されている。
【００２０】
データ処理手段３は冗長情報ＲＤを発生するようにも構成されており、該冗長情報に基づいてスマートカード１は、上記請求データＡにおける、基地局２からスマートカード１への該請求データＡＤの伝送の間に発生したエラーを認識することができる。データ処理手段３は、該冗長情報ＲＤを、請求データＡＤのビット系列“１００１”の和を決定することにより発生するよう構成されている。かくして、冗長データＲＤは、上記請求データＡＤのビット系列“１００１”に対しては値“２”を持つ冗長情報として決定され、該情報は“１０”なるビット系列に対応する。
【００２１】
スマートカード１に供給されるべき送信データＵＤは、データ処理手段３により請求データＡＤと冗長データＲＤとのビット系列を連鎖させることにより形成される。ビット系列“１００１”なる請求データＡＤ及びビット系列“１０”なる冗長データＲＤの場合は、送信データＵＤは“１００１１０”なるビット系列により形成される。送信データＵＤの上述した決定法は、通常、既知のスマートカードで実施されている。この場合、請求データＡＤは例えば６４ビットのビット系列で形成される一方、冗長データＲＤは１６ビットのビット系列で形成することができる。
【００２２】
図２、３、４、５、６及び７は、送信データＵＤの“１００１１０”なるビット系列が６つの異なる既知の符号化方法に従って符号化された場合の符号化データ信号ＤＳ１の波形を示している。図２に示す符号化データ信号ＤＳ１（ＭＡ）の波形を得るためにはマンチェスタ符号化方法が適用され、図３に示す符号化データ信号ＤＳ１（ＰＷ）の信号波形を得るためにはパルス幅符号化方法が適用され、図４に示す符号化データ信号ＤＳ１（ＭＩ）の信号波形を得るためにはミラー符号化方法が適用され、図５に示す符号化データ信号ＤＳ１（ＲＴＺ）の信号波形を得るためには零復帰符号化方法が適用され、図６に示す符号化データ信号ＤＳ１（ＦＳＫ）の波形を得るためには周波数シフトキーイング（ＦＳＫ）符号化方法が適用され、図７に示す符号化データ信号ＤＳ１（ＰＳＫ）の波形を得るためには位相シフトキーイング（ＰＳＫ）符号化方法が適用される。他の多数の適当な符号化方法が当業者にとっては既知である。
【００２３】
基地局２のデータ処理手段３は、送信データＵＤのビット系列（例えば、“１００１１０”なるビット系列）を零復帰符号化方法に従って符号化する符号化手段も含んでいる。データ処理手段３の該符号化手段は、図５に示すようなビット系列“１００１１０”の符号化データ信号ＤＳ１（ＲＴＺ）の波形を送出することができる。
【００２４】
また、基地局２のデータ処理手段３は、該データ処理手段３の上記符号化手段により出力された符号化データ信号ＤＳ１（ＲＴＺ）を振幅変調により変調する変調手段も含んでいる。この場合、13.56MHzなる搬送波周波数及び周期Ｔ（ＴＳ）を持つ搬送波信号ＴＳが、上記符号化手段により出力される符号化データ信号ＤＳ１（ＲＴＺ）を用いて変調され、ここで変調深度は１００％に固定されている。
【００２５】
図８は、上記変調手段により出力することができる変調搬送波信号ＭＴＳを示し、この変調搬送波信号ＭＴＳは、該変調搬送波信号ＭＴＳに含まれる符号化データ信号ＤＳ１（ＲＴＺ）が高い振幅値を有する期間ＴＡの間における搬送波信号ＴＳにより形成される。この変調搬送波信号ＭＴＳに含まれる符号化データ信号ＤＳ１（ＲＴＺ）が低い振幅値を有する他の期間ＴＢの間では、該変調搬送波信号ＭＴＳには搬送波信号ＴＳの搬送波振動は含まれない。
【００２６】
また、上記基地局２は送信及び受信手段４も含み、該手段には上記データ処理手段３により生成された変調搬送波信号ＭＴＳを供給することができる。該送信及び受信手段４は、上記データ処理手段３により供給された変調搬送波信号ＭＴＳを交番電磁場として送信するように構成されている。また、該送信及び受信手段４は、交番電磁場中に含まれる変調搬送波信号ＭＴＳを受信すると共に、受信された変調搬送波信号ＭＴＳを上記データ処理手段３に出力して該変調搬送波信号ＭＴＳに含まれるデータを更に処理するように構成されている。
【００２７】
スマートカード１は送信及び受信手段５を含み、該手段は該スマートカード１の送信モードにおいて変調搬送波信号ＭＴＳを送信すると共に、該スマートカード１の受信モードにおいては変調搬送波信号ＭＴＳを受信するように構成されており、該変調搬送波信号ＭＴＳは符号化方法に従って符号化されたデータ信号ＤＳ１を含んでいる。該送信及び受信手段５により受信された変調搬送波信号ＭＴＳは、該送信及び受信手段５の端子６を介して出力することができる。
【００２８】
該スマートカード１の電源段７は、上記送信及び受信手段５の端子６に接続されている。該電源段７は、受信された変調搬送波信号ＭＴＳを入力することができる。該電源段７は、該電源段に供給された変調搬送波信号ＭＴＳを整流することにより、動作電圧を発生するように構成されている。該電源段７により発生された動作電圧は（図１には図示せぬ態様で）該スマートカード１の他の各段に供給することができる。
【００２９】
該スマートカード１のクロック抽出段８も、送信及び受信手段５の端子６に接続されている。該クロック抽出段８には、受信された変調搬送波信号ＭＴＳを供給することができる。該クロック抽出段８は、受信された変調搬送波信号ＭＴＳのクロックを抽出すると共に、抽出された搬送波信号ＴＳを出力するように構成されている。
【００３０】
該スマートカード１は、受信された変調搬送波信号ＭＴＳを復調すると共に該変調搬送波信号ＭＴＳに含まれる符号化データ信号ＤＳ１を出力する復調手段９を含んでいる。該復調手段９は、上記送信及び受信手段５の端子６に接続されると共に、受信された変調搬送波信号ＭＴＳを振幅復調により復調するように構成されている。この目的のために、前記クロック抽出段８により抽出された搬送波信号ＴＳを該復調手段９に供給することができる。受信された変調搬送波信号ＭＴＳに含まれる符号化データ信号ＤＳ１は、該復調手段９により出力することができる。
【００３１】
該スマートカード１は復号手段１０を含み、該手段は上記復調手段９により出力された符号化データ信号ＤＳ１を復号すると共に、該符号化データ信号ＤＳ１に含まれるデータＤを出力するように構成されている。
【００３２】
また、該スマートカード１は、上記復号手段１０により出力されたデータを処理するように構成されたデータ処理手段１１も有している。この目的のため、該データ処理手段１１はマイクロプロセッサ（図１には図示せず）及び記憶手段（図１には図示せず）を含んでいる。該データ処理手段１１の上記記憶手段は、当該スマートカード１のユーザに帰する額の前述した残高データ（balance data）を記憶している。該データ処理手段１１には、データを処理するために、前記クロック抽出段８により抽出された搬送波信号ＴＳを供給することができる。
【００３３】
該スマートカード１の復号手段１０は第１復号段１２と第２復号段１３とを含み、第１復号段１２は零復帰符号化方法に従って符号化されたデータ信号ＤＳ１（ＲＴＺ）を復号するように構成される一方、第２復号段１３はミラー符号化方法に従って符号化されたデータ信号ＤＳ１（ＭＩ）を復号するよう構成されている。
【００３４】
この構成は、該スマートカード１の復号手段１０が、基地局２において零復帰符号化方法に従って又は他の基地局においてミラー符号化方法に従って符号化された受信符号化データ信号ＤＳ１を復号するように構成されるという利点を提供する。結果として、該スマートカード１は、例えば零復帰コード又はミラーコードが通常使用されているか又は標準化さえされているアクセス制御システム又は賃取りシステムの場合のような複数の利用分野において使用することができる。このようにして、スマートカード１に、有利にも“近接規格（Approximity Standard）”（ISO 14443）に準拠したＡ型及びＢ型のデータ担体を実現することができる。
【００３５】
第１復号段１２及び第２復号段１３には、前記復調手段９により出力され、且つ、前記基地局２により当該スマートカード１に送信されるべき送信データＵＤを含む符号化データ信号ＤＳ１を供給することができる。第１復号段１２は、該第１復号段１２における復号動作の完了後に第１データＤ１を出力するようになっている。第２復号段１３は、該第２復号段１３における復号動作の完了後に第２データＤ２を出力するようになっている。
【００３６】
基地局から当該スマートカード１への送信データＵＤの伝送に影響を与え得る種々の要因が存在することに注意すべきであり、斯かる要因は、該スマートカード１の復号手段１０により出力されるデータが上記基地局により送信された送信データＵＤと一致しないというような原因となり得る。斯様な要因の１つは、基地局の符号化手段が或る符号化方法に従って送信データＵＤを符号化し、該スマートカード１の復号手段１０が受信された該符号化データ信号ＤＳ１を異なる符号化方法に従って復号した場合に発生する。他の要因は交番電磁場における伝送の間における変調搬送波信号ＭＴＳへのノイズ信号の重畳にあり、斯かるノイズ信号は、復調手段９による復調の間及び／又は復号手段１０による復号の間に復号手段１０により出力されるデータにエラーを生じさせる。
【００３７】
第１復号段１２は第１データＤ１に含まれる冗長データＲＤを評価して、該受信された第１データＤ１が基地局２により送信された送信データＵＤに一致するかをチェックする。第１データＤ１に含まれる上記冗長データＲＤの評価は、基地局２における該冗長データＲＤの発生に準じて実施される。この目的のため、第１復号段１２は、当該第１データＤ１に含まれ且つ前記請求データＡＤに対応するビット系列の桁の和を計算する。この計算の結果は、該第１データＤ１に含まれる冗長データＲＤと比較される。
【００３８】
この比較が一致したら、第１復号段１２により決定された第１データＤ１は基地局２により当該スマートカード１に対して送信された送信データＵＤに一致すると見なすことができる。この場合、該第１復号段１２により肯定的第１判定支援情報ＥＵＩ１を出力することができる。判定支援情報ＥＵＩは、復号手段１０が更なる処理のためにデータ処理手段１１に対して第１データＤ１を出力すべきか又は第２データＤ２を出力すべきかが判定される際の判定動作を支援する。
【００３９】
しかしながら、上記比較が一致を表さなかった場合は、第１復号段１２により決定された第１データＤ１は基地局２により当該スマートカード１に供給された送信データＵＤと一致しないとみなされねばならない。この場合、第１復号段１２は否定的第１判定支援情報ＥＵＩ１を出力する。
【００４０】
第２復号段１３は、第２データＤ２に含まれる請求データＡＤと冗長データＲＤとが評価されるものとして、第１判定支援情報ＥＵＩ１と同様の方法で決定される第２判定支援情報ＥＵＩ２を送出することができる。
【００４１】
該スマートカード１の復号手段１０は判定段１４を有し、該判定段は、受信された符号化データ信号ＤＳ１を復号するのに復号段１２又は１３の何れが適しているかを判定するように構成されている。この目的のため、上記第１復号段１２により決定された第１判定支援情報ＥＵＩ１と、第２復号段１３により決定された第２判定支援情報ＥＵＩ２とを、該判定段１４に供給することができる。
【００４２】
該判定段１４は、入力された判定支援情報ＥＵＩ１及びＥＵＩ２の評価により、受信された符号化データ信号ＤＳ１を復号するのに復号段１２又は１３の何れが適しているかを判定するように構成されている。該判定段１４は、肯定的第１判定支援情報ＥＵＩ１を入力した場合は、受信された符号化データ信号ＤＳ１を復号するには第１復号段１２が適していると判定する。同様に、該判定段１４は、肯定的第２判定支援情報ＥＵＩ２を入力した場合は、受信された符号化データ信号ＤＳ１を復号するには第２復号段１３が適していると判定する。第１復号段１２及び第２復号段１３により、肯定的判定支援情報ＥＵＩ１及びＥＵＩ２が、又は否定的判定支援情報ＥＵＩ１及びＥＵＩ２が出力された場合は、該判定段１４は、受信された符号化データ信号ＤＳ１を復号するのに復号段１２又は１３の何れが適しているかを判定すべく更なるチェックを実施するようになっている。例えば、斯様な場合には該スマートカード１が基地局２に対して要求情報を送信することができ、これに応答して、該基地局２は先に送信した送信データＵＤを再び送信する。
【００４３】
該判定段１４は判定情報ＥＩをデータ処理手段１１に供給することができ、該判定情報は、受信された符号化データ信号ＤＳ１を復号するのに適した復号段１２又は１３を特徴付けるものである。データ処理手段１１は、供給された該判定情報ＥＩに従って第１データＤ１又は第２データＤ２を処理するようになっている。
【００４４】
また、該スマートカード１の復号手段１０は記憶段１５も含み、該記憶段には第１復号段１２により出力された第１データＤ１及び第２復号段１３により出力された第２データＤ２を記憶することができる。データ処理手段１１は、該記憶段１５に接続されて、判定段１４からの判定情報ＥＩの出現の後に第１データＤ１又は第２データＤ２を読み出すことが可能である。
【００４５】
該スマートカード１に記憶段１５を含めることにより、復号段１２及び１３により出力されたデータＤ１及びＤ２が先ずバッファされ、判定段１４からの判定情報ＥＩの到来後に、データ処理手段１１により該記憶段１５から読み出すことが可能になるという利点が提供される。このようにして、判定情報ＥＩの到来前に受信され且つ復号されたデータＤ１及びＤ２が失われることはない。
【００４６】
変調搬送波信号ＭＴＳの受信の際における当該スマートカード１の動作を、第１の例に基づいて以下に詳細に説明する。この第１の例によれば、基地局２は、図８に示されると共に、零復帰符号化方法に従って符号化され且つ送信データＵＤの“１００１１０”なるビット系列を含むデータ信号ＤＳ１（ＲＴＺ）を含むような変調搬送波信号ＭＴＳを送信する。
【００４７】
該変調搬送波信号ＭＴＳは送信及び受信手段５により受信され、復調手段９に供給される。復調手段９は、図８に示す変調搬送波信号ＭＴＳの振幅復調を実施する。
【００４８】
図９は、復調手段９により出力される符号化データ信号ＤＳ１の波形を示している。この時点では、該スマートカード１は復調手段９により出力された符号化データ信号ＤＳ１を符号化するのに使用された符号化方法に関する情報を有していないので、該符号化データ信号ＤＳ１は第１復号段１２及び第２復号段１３に供給される。
【００４９】
第１復号段１２においては、供給された上記符号化データ信号ＤＳ１が零復帰方法に従って復号され、図９に示すビット系列“１００１１０”が第１データＤ１として決定される。該第１データＤ１は記憶段１５に供給されて記憶される。
【００５０】
次いで、第１復号段１２は第１データＤ１から、該第１データＤＳ１のビット系列“１００１１０”における位置に基づいて請求データＡＤのビット系列に対応するビット系列“１００１”を決定する。この請求データＡＤが基地局２により送信された請求データＡＤと一致するかをチェックするために、該第１復号段１２は“２”なる値のビット系列“１００１”の和を計算する。第１データＤ１に含まれる請求データＡＤの和である該“２”なる値は、次いで、該データＤ１に含まれる“１０”なるビット系列の参照データＲＤと比較される。この参照データも“２”なる値を持っている。上記請求データＡＤの和の値が該第１データＤ１の参照データＲＤの値に一致するので、該第１復号段１２は肯定的第１判定支援情報ＥＵＩ１を判定段１４に供給する。
【００５１】
第２復号段１３においては、供給された符号化データ信号ＤＳ１はミラー方法に従って復号される。ミラー方法によれば、ビット系列における２つの連続したビット“０”の場合は、符号化データ信号ＤＳ１（ＭＩ）がローの振幅値を有するような期間ＴＢを待つ（図４に示すように）。従って、該第２復号段１３は第３のビットを復号することができず、図９に示す第２データＤ２のビット系列“１０？１１０”に“？”が挿入されたようになる。該第２データＤ２は記憶段１５に供給され、記憶される。
【００５２】
次いで、第２復号段１３は第２データＤ２から、該第２データＤＳ２のビット系列“１０？１１０”における位置に基づいて請求データＡＤのビット系列に対応するビット系列“１０？１”を決定する。該請求データＡＤの１つのビットが信頼性をもって復号されなかったので、該復号段１３は否定的第２判定支援情報ＥＵＩ２を判定段１４に出力する。
【００５３】
次いで、入力された上記肯定的第１判定支援情報ＥＵＩ１及び否定的第２判定支援情報ＥＵＩ２に基づき、判定段１４は第１復号段１２を特徴付ける判定情報ＥＩをデータ処理手段１１に供給する。
【００５４】
これに応答して、データ処理手段１１は記憶段１５に記憶された第１データＤ１を読み出し、該第１データＤ１に含まれた値“９”に対応する“１００１”なるビット系列の請求データＡＤを決定する。次いで、データ処理手段１１は該請求データＡＤの値“９”を該データ処理手段１１に記憶された残高データから減算し、該算出された値を残高データとして該データ処理手段１１に再び記憶する。結果として、“９”ユーロなる額の料金が当該スマートカード１のユーザの口座残高に対して精算処理（debit）される。
【００５５】
この構成は、基地局２により零復帰方法に従って符号化された送信データＵＤ及び他の基地局によりミラー方法に従って符号化された送信データＵＤが該スマートカード１の復号手段１０により復号することができ、従って該スマートカード１により処理することができるという利点を提供する。かくして、該スマートカード１は種々の利用分野に対して使用することが可能である。
【００５６】
次ぎに、変調搬送波信号ＭＴＳの受信に際しての該スマートカード１の動作を第２の例に基づいて説明する。該スマートカード１は、復号段指令情報ＢＩを含んでいるような符号化データ信号ＤＳ１を含む変調搬送波信号ＭＴＳを受信するように構成されている。斯様な場合、上記復号段指令情報ＢＩは、請求データＡＤの例えば“１１１１”のような特殊なビット系列により形成することができる。このビット系列“１１１１”を持つ請求データＡＤは、上述した第１の例に従って基地局２により該スマートカード１に対して送信することができ、該請求データＡＤの更なる処理のために、最終的にデータ処理手段１１により記憶段１５から読み出される。
【００５７】
該データ処理手段１１は、請求データＡＤとしての“１１１１”なるビット系列の出現に応答して、判定段１４に対して復号段指令情報ＢＩを出力するように構成されている。該判定段１４は、供給された復号段指令情報ＢＩの評価により、受信され得るであろう次の符号化データ信号ＤＳ１を復号するのに復号段１２又は１３の何れが意図されるかを判定するようになっている。該判定段１４はデータ処理手段１１に適切な判定情報ＥＩを供給することができる。
【００５８】
この構成は、基地局２が当該スマートカード１に、変調搬送波信号ＭＴＳに含まれると共に、当該復号段指令情報ＢＩの送信の後に該基地局２により変調搬送波信号ＭＴＳで送信される符号化データ信号ＤＳ１を復号段１２又は１３が復号しようとするかを特徴付けることが可能な復号段指令情報ＢＩを供給することができるという利点を提供する。このように、基地局２はスマートカード１に対して該スマートカード１のうちの符号化データ信号ＤＳ１を復号するのに適した復号段１２又は１３を選択することができる。
【００５９】
該スマートカード１は、符号化データ信号ＤＳ２を出力する符号化手段１６を含み、該符号化手段は第１符号化段１７と第２符号化段１８とを含んでいる。該スマートカード１の送信モードにおいては、データ処理手段１１は上記基地局に、即ち第１符号化段１７及び第２符号化段１８に対して、送信されるべき第３データＤ３を供給することができる。第１符号化段１７は、供給された第３データＤ３を周波数キーイング符号化方法に従って符号化すると共に、符号化されたデータ信号ＤＳ２を出力するように構成されている。第２符号化段１８は、供給された第３データＤ３を位相キーイング符号化方法に従って符号化すると共に、該第３データＤ３を含む符号化されたデータ信号ＤＳ２を出力するように構成されている。
【００６０】
また、該スマートカード１は変調手段１９も含み、該手段は符号化手段１６により出力された符号化データ信号ＤＳ２を変調すると共に、変調された搬送波信号ＭＴＳを出力するように構成されている。該変調手段１９は、供給された符号化データ信号ＤＳ２を従来既知の負荷変調の方法で変調するように構成されている。
【００６１】
該変調手段１９により出力される変調搬送波信号ＭＴＳは、当該スマートカード１の送信及び受信手段５の端子６に供給することができ、基地局２又は図１には図示せぬ他の基地局に送信することができる。
【００６２】
この構成は、該スマートカード１が、変調搬送波信号ＭＴＳに含まれると共に、周波数キーイング方法又は位相キーイング方法に従って符号化された第３データＤ３を含む符号化データ信号Ｄ２を送信するのにも適したものとなるという利点を提供する。結果として、該スマートカード１は、基地局との通信が前記コードのうちの１つのみを使用する際に可能であるような複数の利用分野に使用することができる。
【００６３】
図１０は、基地局２及び本発明によるデータ担体の第２実施例を構成するスマートカード１のブロック図を示している。本発明によるスマートカード１の該第２実施例は、本発明による前記スマートカード１の第１実施例に対応するもので、該第２実施例の復号手段２０の各段が前記第１実施例の復号手段１０の各段に対応している。しかしながら、該復号手段２０は、第１復号段１２及び第２復号段１３による復号の前に、受信された符号化データ信号ＤＳ１を記憶することができる記憶段１５を含んでいる。
【００６４】
この構成は、受信された符号化データ信号ＤＳ１を復号するのに復号段１２又は１３のどちらが適しているかの判定がなされる前に該スマートカード１により受信されたデータが失われないという利点を提供する。
【００６５】
本発明によるデータ担体には、受信された符号化データ信号を記録するための又は上記復号段により出力されたデータを記憶するための記憶手段は必ずしも設ける必要はないことに注意すべきである。しかしながら、斯様なデータ担体においては、受信された符号化データ信号ＤＳ１を復号するのにどちらの復号段が適しているかを前記判定段が判定することができる前に、第１復号段により出力されたデータＤ１が更なる処理のために前記データ処理手段に供給される場合のほうが有利であることが分かった。
【００６６】
この場合、第１復号段が、基地局により送信データＵＤの符号化に普通に使用される方法に従って符号化データ信号を復号するよう構成される場合は、上記判定段からの判定情報ＥＩの到来前に受信された符号化データ信号ＤＳ１は、通常、既に正しく復号されていることになるので、これは大きな利点となる。
【００６７】
本発明によるデータ担体の復号手段は、受信された符号化データ信号を各々が対応する別々の方法に従って復号するような３、５、１０又はそれ以上さえの復号段を含むこともできることに注意されたい。この構成は、複数の異なるコードに従って符号化されたデータ信号を当該データ担体内で復号することができ、これら符号化データ信号に含まれるデータを処理することができるという利点を提供する。
【００６８】
更に、本発明によるデータ担体の符号化手段は、基地局に送信されるべき第３データを複数の異なる符号化方法に従って符号化する３、５、１０又はそれ以上さえの符号化段を含んでいてもよいことに注意すべきである。この場合、使用される各符号化段は本発明によるデータ担体のデータ処理手段により規定することができるが、当該データ担体と通信する基地局によって符号化段指令情報の送信により規定することもできる。
【００６９】
また、本発明によるデータ担体の復調手段は、異なる変調深度の振幅変調により変調された変調搬送波信号を復調するように構成された幾つかの復調段を含むこともできることに注意されたい。この構成は、例えば１０％、２０％、５０％又は７０％のような変調深度の振幅変調搬送波信号も復調することができるという利点を提供する。
【００７０】
また、復号段は、例えば該復号段で決定されたデータのエラー率が所与のエラー率敷居値を越えるような場合にも否定的判定支援情報ＥＵＩを出力することができることに注意すべきである。
【００７１】
また、周波数変調又は位相変調により変調されている受信された変調搬送波信号を復調するように構成されたデータ担体に、少なくとも２つの復号段を含めることも有利であることに注意されたい。
【００７２】
最後に、前記送信データの全ビットの出力がビット“１”又はビット“０”であったら、位相キーイングコードに従って符号化された図７に示すようなデータ信号ＤＳ１（ＰＳＫ）は、周波数キーイングコードに従って符号化データ信号ＤＳ１を復号する復号段により復号されるであろうことに注意すべきである。このような場合に関しては、前記判定段は、送信データに含まれる前記参照データをチェックすることにより、どちらの復号段が当該符号化データ信号を復号するのに適しているかを判定するように構成される。
【図面の簡単な説明】
【図１】  図１は、基地局と無接触データ交換を行うように構成された本発明によるスマートカードの第１実施例のブロック図を示し、該スマートカードは零復帰（Return-To-Zero）符号化方法又はミラー符号化方法に従って符号化された受信データ信号を復号する２つの復号段を含んでいる。
【図２】  図２は、マンチェスタ符号化方法に従って符号化され、上記スマートカードにより受信される変調搬送波信号に含むことができるデータ信号の波形を示す。
【図３】  図３は、パルス幅符号化方法に従って符号化され、上記スマートカードにより受信される変調搬送波信号に含むことができるデータ信号の波形を示す。
【図４】  図４は、ミラー符号化方法に従って符号化され、上記スマートカードにより受信される変調搬送波信号に含むことができるデータ信号の波形を示す。
【図５】  図５は、零復帰符号化方法に従って符号化され、上記スマートカードにより受信される変調搬送波信号に含むことができるデータ信号の波形を示す。
【図６】  図６は、周波数キーイング符号化方法に従って符号化され、上記スマートカードにより受信される変調搬送波信号に含むことができるデータ信号の波形を示す。
【図７】  図７は、位相キーイング符号化方法に従って符号化され、上記スマートカードにより受信される変調搬送波信号に含むことができるデータ信号の波形を示す。
【図８】  図８は、上記スマートカードにより受信することができ、零復帰符号化方法に従って符号化されたデータ信号を含む変調搬送波信号の波形を示す。
【図９】  図９は、図８に示す変調搬送波信号に含まれ、且つ、上記スマートカードの２つの復号段に供給される符号化データ信号の波形を示し、これに応答して、これら復号段は図９に示すような第１及び第２データを出力する。
【図１０】  図１０は、基地局と無接触データ交換を行うように構成された本発明によるスマートカードの第２実施例のブロック図を示し、該スマートカードにより受信される変調搬送波信号内の符号化データ信号は、上記２つの復号段により復号される前に記憶段にバッファされる。
【符号の説明】
１…スマートカード（データ担体）
２…基地局（送信機局）
３…データ処理手段
４、５…送信及び受信手段
９…復調手段
１０…復号手段
１１…データ処理手段
１２…第１復号段
１３…第２復号段
１４…判定段
１５…記憶段
１６…符号化手段
１７…第１符号化段
１８…第２符号化段
１９…変調手段
【図１】
0004350309.tif 000002
【図２】
0004350309.tif 000003
【図３】
0004350309.tif 000004
【図４】
0004350309.tif 000005
【図５】
0004350309.tif 000006
【図６】
0004350309.tif 000007
【図７】
0004350309.tif 000008
【図８】
0004350309.tif 000009
【図９】
0004350309.tif 000010
【図１０】
0004350309.tif 000011